(57)【要約】【課題】仮固定の際、釘の使用による床暖房マットの損傷がなく、かつ、両面テープの使用による床暖房マットの所定位置に合わせにくさのない、床暖房マットの施工方法および床暖房マットを提供する。【解決手段】床暖房マットの施工方法においては、内部に液状の接着剤３０を収容したマイクロカプセル４を、床暖房マット１の裏面１Ｂに保持させるか、床下地２の上に載置する。次に、床暖房マット１を所定位置２０に配置する。床暖房マット１の上面１Ａ側からマイクロカプセル４に衝撃力を加えて破壊し、接着剤３０を流出させて床暖房マット１と床下地２とに付着させる。必要に応じて床暖房マット１を所定位置２０に合わせる。接着剤３０を固化させて、床暖房マット１を床下地２に接着固定する。また、基材１１と、その裏面１Ｂに保持されたマイクロカプセル４を備える床暖房マット１である。【選択図】図３
2018159493.tif 000002
【特許請求の範囲】
【請求項１】
床下地の上に床暖房マットを固定する床暖房マットの施工方法であって、
内部に液状の接着剤を収容したマイクロカプセルを、前記床暖房マットの裏面に保持させるか、あるいは、前記床下地の上に載置し、
次に、前記床暖房マットを前記床下地の所定位置に配置し、
次に、前記床暖房マットの上面側から前記床暖房マットを介して前記マイクロカプセルに衝撃力を加えて前記マイクロカプセルを破壊することにより、前記マイクロカプセルの内部に収容されていた液状の前記接着剤を、前記マイクロカプセルから流出させて前記床暖房マットと前記床下地とに付着させ、
次に、必要に応じて前記床暖房マットを前記所定位置に合わせ、
次に、前記床暖房マットと前記床下地とに付着させた液状の前記接着剤を固化させて、前記床暖房マットを前記床下地に接着固定することを特徴とする床暖房マットの施工方法。
【請求項２】
前記マイクロカプセルの破壊荷重が２ｋＮ以上であることを特徴とする請求項１記載の床暖房マットの施工方法。
【請求項３】
床下地の上に床暖房マットを固定する床暖房マットの施工方法であって、
内部に液状の接着剤を収容したマイクロカプセルを裏面に保持させた前記床暖房マットを前記床下地の所定位置に配置し、
次に、前記床暖房マットの上面側から前記床暖房マットを介して前記マイクロカプセルに衝撃力を加えて前記マイクロカプセルを破壊することにより、前記マイクロカプセルの内部に収容されていた液状の前記接着剤を、前記マイクロカプセルから流出させて前記床暖房マットと前記床下地とに付着させ、
次に、必要に応じて前記床暖房マットを前記所定位置に合わせ、
次に、前記床暖房マットと前記床下地とに付着させた液状の前記接着剤を固化させて、前記床暖房マットを前記床下地に接着固定することを特徴とする床暖房マットの施工方法。
【請求項４】
前記マイクロカプセルの破壊荷重が５ｋＮ以上であることを特徴とする請求項３記載の床暖房マットの施工方法。
【請求項５】
前記床暖房マットは、前記裏面に前記マイクロカプセルを覆う保護材が貼付されたものであり、
前記床暖房マットを前記床下地の所定位置に配置する前に、前記保護材を剥がすことを特徴とする請求項３または４記載の床暖房マットの施工方法。
【請求項６】
内部に高温源を有する基材と、
前記基材の裏面に保持され、内部に液状の接着剤を収容したマイクロカプセルと、を備えることを特徴とする床暖房マット。
【請求項７】
前記裏面に前記マイクロカプセルを覆う保護材が貼付されていることを特徴とする請求項６記載の床暖房マット。
【発明の詳細な説明】
【技術分野】
【０００１】
本発明は、床暖房マットの施工方法および床暖房マットに関する。
【背景技術】
【０００２】
従来、床下地の上に床暖房マットを固定して形成される床暖房装置が知られている（例えば特許文献１参照）。
【０００３】
この床暖房装置を形成するには、まず、床暖房マットを床下地の所定位置に配置する。次に、床暖房マットの上面側から部分的に釘を床下地に打ち付けて、床暖房マットを床下地に仮固定する。
【０００４】
床暖房マットを床下地に仮固定した状態で、床暖房マットをめくって裏面に接着剤を塗布した後、床暖房マットの裏面を床下地の所定位置に載置する。床暖房マットと床下地との間に介在する接着剤が乾燥して固化することにより、床暖房マットが床下地に接着固定される。
【０００５】
上記のような特許文献１に示す床暖房マットの施工においては、床暖房マットに釘を貫通させて床暖房マットを床下地に仮固定するため、床暖房マットが損傷してしまう。このため、釘を使用せずに、両面テープにより床暖房マットを床下地に仮固定する方法も採られている。
【０００６】
しかしながら、両面テープにより仮固定する方法にあっては、仮固定後に、床暖房マットの裏面に接着剤を塗布して床暖房マットの裏面が床下地の所定位置からずれた位置に載置されてしまうような場合、床暖房マットをずらして所定位置に配置することが困難であった。
【先行技術文献】
【特許文献】
【０００７】
【特許文献１】特開２０１６−２１７５５５号公報
【発明の概要】
【発明が解決しようとする課題】
【０００８】
本発明は上記従来の問題点に鑑みて発明したものであって、仮固定の際、釘の使用により床暖房マットが損傷するといったことがなく、かつ、両面テープの使用により床暖房マットを所定位置に合わせにくいといったことがない、床暖房マットの施工方法および床暖房マットを提供することにある。
【課題を解決するための手段】
【０００９】
請求項１に係る発明は、床下地の上に床暖房マットを固定する床暖房マットの施工方法である。
【００１０】
内部に液状の接着剤を収容したマイクロカプセルを、前記床暖房マットの裏面に保持させるか、あるいは、前記床下地の上に載置する。
【００１１】
次に、前記床暖房マットを前記床下地の所定位置に配置する。
【００１２】
次に、前記床暖房マットの上面側から前記床暖房マットを介して前記マイクロカプセルに衝撃力を加えて前記マイクロカプセルを破壊することにより、前記マイクロカプセルの内部に収容されていた液状の前記接着剤を、前記マイクロカプセルから流出させて前記床暖房マットと前記床下地とに付着させる。
【００１３】
次に、必要に応じて前記床暖房マットを前記所定位置に合わせる。
【００１４】
次に、前記床暖房マットと前記床下地とに付着させた液状の前記接着剤を固化させて、前記床暖房マットを前記床下地に接着固定する。
【００１５】
また、請求項２に係る発明は、請求項１に係る発明において、前記マイクロカプセルの破壊荷重が２ｋＮ以上である。
【００１６】
また、請求項３に係る発明において、床下地の上に床暖房マットを固定する床暖房マットの施工方法である。
【００１７】
内部に液状の接着剤を収容したマイクロカプセルを裏面に保持させた前記床暖房マットを前記床下地の所定位置に配置する。
【００１８】
次に、前記床暖房マットの上面側から前記床暖房マットを介して前記マイクロカプセルに衝撃力を加えて前記マイクロカプセルを破壊することにより、前記マイクロカプセルの内部に収容されていた液状の前記接着剤を、前記マイクロカプセルから流出させて前記床暖房マットと前記床下地とに付着させる。
【００１９】
次に、必要に応じて前記床暖房マットを前記所定位置に合わせる。
【００２０】
次に、前記床暖房マットと前記床下地とに付着させた液状の前記接着剤を固化させて、前記床暖房マットを前記床下地に接着固定する。
【００２１】
また、請求項４に係る発明は、請求項３に係る発明において、前記マイクロカプセルの破壊荷重が５ｋＮ以上である。
【００２２】
また、請求項５に係る発明は、請求項３または４に係る発明において、前記床暖房マットは、前記裏面に前記マイクロカプセルを覆う保護材が貼付されたものである。
【００２３】
前記床暖房マットを前記床下地の所定位置に配置する前に、前記保護材を剥がす。
【００２４】
また、請求項６に係る発明は、内部に高温源を有する基材と、前記基材の裏面に保持され、内部に液状の接着剤を収容したマイクロカプセルと、を備える床暖房マットである。
【００２５】
また、請求項７に係る発明は、請求項６に係る発明において、前記裏面に前記マイクロカプセルを覆う保護材が貼付されている。
【発明の効果】
【００２６】
請求項１に係る発明にあっては、床暖房マットを床下地の所定位置に配置した後、床暖房マットと床下地との間に介在するマイクロカプセルに床暖房マットの上面側から衝撃力を加えて、マイクロカプセルを破壊すればすむ。このように、釘を使用しないため、釘の使用により床暖房マットが損傷するといったことがない。また、両面テープを使用しないため、両面テープの使用により床暖房マットを所定位置に合わせにくいといったことがない。
【００２７】
請求項２に係る発明にあっては、作業者が、施工現場において、マイクロカプセルを床暖房マットの裏面に保持させて床暖房マットと床下地との間で破壊させるまでの間に、マイクロカプセルが意に反して破壊されるのを抑制することができる。
【００２８】
請求項３に係る発明にあっては、床暖房マットを床下地の所定位置に配置した後、床暖房マットと床下地との間に介在するマイクロカプセルに床暖房マットの上面側から衝撃力を加えて、マイクロカプセルを破壊すればすむ。このように、釘を使用しないため、釘の使用により床暖房マットが損傷するといったことがない。また、両面テープを使用しないため、両面テープの使用により床暖房マットを所定位置に合わせにくいといったことがない。また、施工現場でマイクロカプセルを床暖房マットの裏面に保持させたり床下地の上に載置する工程が不要である。
【００２９】
請求項４に係る発明にあっては、作業者が、施工現場に裏面にマイクロカプセルを保持した床暖房マットを持ち込むまでの間に、マイクロカプセルが意に反して破壊されるのを抑制することができる。
【００３０】
請求項５に係る発明にあっては、作業者が、施工現場に裏面にマイクロカプセルを保持した床暖房マットを持ち込んで保護材を剥がすまでの間に、マイクロカプセルが床暖房マットの裏面から脱落するのが抑制される。
【００３１】
請求項６に係る発明にあっては、床暖房マットを床下地の所定位置に配置した後、床暖房マットと床下地との間に介在するマイクロカプセルに床暖房マットの上面側から衝撃力を加えて、マイクロカプセルを破壊すればすむものである。このように、釘を使用しないため、釘の使用により床暖房マットが損傷するといったことがないものである。また、両面テープを使用しないため、両面テープの使用により床暖房マットを所定位置に合わせにくいといったことがないものである。
【００３２】
請求項７に係る発明にあっては、作業者が、施工現場に裏面にマイクロカプセルを保持した床暖房マットを持ち込んで保護材を剥がすまでの間に、マイクロカプセルが床暖房マットの裏面から脱落するのが抑制されるものである。
【図面の簡単な説明】
【００３３】
【図１】図１は、本発明の第１実施形態に係る施工方法により施工された、床下地に固定された床暖房マットの要部断面図である。
【図２】図２Ａは、同上の施工方法に用いられるマイクロカプセルの断面図である。図２Ｂは、同上の施工方法におけるマイクロカプセル保持工程を説明する床暖房マットの斜視図である。
【図３】図３は、同上の施工方法における床暖房マット配置工程を説明する床暖房マットおよび床下地の斜視図である。
【図４】図４は、同上の施工方法におけるマイクロカプセル破壊工程を説明する床暖房マットおよび床下地の斜視図である。
【図５】図５は、本発明の第２実施形態に係る施工方法におけるマイクロカプセル保持工程を説明する床暖房マットおよび床下地の斜視図である。
【図６】図６Ａは、本発明の第３実施形態に係る施工方法に用いられる床暖房マットの斜視図である。図６Ｂは、同上の変形例に用いられる床暖房マットの斜視図である。
【発明を実施するための形態】
【００３４】
本発明は、床下地の上に床暖房マットを固定する床暖房マットの施工方法およびこれに用いられる床暖房マットに関する。本発明の第１実施形態について、図１〜図４に基いて説明する。
【００３５】
床下地２としては、主に建物の躯体としての床を構成する、コンクリートスラブやいわゆるＡＬＣ（Autoclaved Lightweight Concrete）マット、木材や木質材をはじめとする既存の様々な床下地２が好適に挙げられるが、特に限定されるものではない。また、床下地２は、必ずしも建物の内部に設けられるものでなくてもよい。
【００３６】
床暖房マット１は、図１に示すように、内部に高温源１２を有する基材１１を備える。基材１１は、ポリスチレン等の発泡樹脂をはじめとする樹脂、木材や木質材により好適に形成されるが、材質は特に限定されない。第１実施形態では、高温源１２は基材１１に埋設されて、内部に温水が通流する温水管により構成されており、床暖房マット１はいわゆる温水床暖房マットである。温水管は、例えば架橋ポリエチレンをはじめとする樹脂や金属により好適に形成されるが、材質は特に限定されない。床暖房マット１は、高温源１２から得られる熱を上面１Ａから熱伝達や放射により伝えて、暖房を行う。高温源１２は、温水管ではなく、電力を供給して発熱させる電気ヒータであってもよく、特に限定されない。
【００３７】
床暖房マット１は、後述するが、液状の接着剤３０が固化してなる接着層３を介して、床下地２の上に接着固定される。
【００３８】
また第１実施形態では、床暖房マット１は、基材１１の上面に均熱層１３を備えている。均熱層１３は、アルミニウムや銅をはじめとする金属等、熱伝導性の高い部材により構成されるが、材質は特に限定されない。均熱層１３は、基材１１が樹脂で形成される場合には、基材１１が形成される際に基材１１と一体に形成可能であるが、基材１１と別体に形成された後、接着剤等により接着固定されてもよい。このような均熱層１３が設けられることにより、基材１１の上面において温度の偏りがなく、局所的に低温域や高温域が形成されるのが抑制される。なお、均熱層１３は基材１１の上面全面に設けられる必要はないが、広い範囲に設けられることが好ましい。
【００３９】
また、図示しないが、床下地２の上に固定された床暖房マット１の上に、床仕上げ材が設けられてもよい。床仕上げ材としては、樹脂、木材や木質材により構成されるものや、いわゆるカーペット等、既存の様々なものが適宜利用可能であり、特に限定されない。
【００４０】
以下、床暖房マット１の施工方法について説明する。
（１）マイクロカプセル保持工程
施工現場において、作業者は、まず、図２Ａに示すように、内部に液状の接着剤３０を収容したマイクロカプセル４を、図２Ｂに示すように、床暖房マット１の裏面１Ｂに保持させるマイクロカプセル保持工程を行う。
【００４１】
マイクロカプセル４は、図２Ａに示すように、内部に薬剤等を収容し、マイクロカプセル４を破壊することで、薬剤等の内容物を流出させるものである。第１実施形態において用いられるマイクロカプセル４は、作業者が床暖房マット１の裏面１Ｂに保持させる際に取り扱いやすい直径１〜１０ｍｍの球状をしたもので、樹脂または無機質からなる。
【００４２】
マイクロカプセル４の破壊荷重は、２ｋＮ以上であることが好ましい。すなわち、マイクロカプセル４の破壊荷重が２ｋＮ未満であると、作業者が、施工現場において、マイクロカプセル４を容器や袋から取り出してから、床暖房マット１の裏面１Ｂに保持させて、後の工程で床暖房マット１と床下地２との間でマイクロカプセル４を破壊させるまでの間に、マイクロカプセル４が意に反して破壊されやすいためである。なお、マイクロカプセル４の大きさ、形状、厚み、材質、破壊荷重等は適宜設計、選択可能である。このようなマイクロカプセル４は、既存の様々なものが適宜利用可能であり、特に限定されない。
【００４３】
液状の接着剤３０は、固化する前の状態であり、固化した後に上述した接着層３（図１参照）となるものである。このような接着剤３０としては、例えば一液型変成シリコーン樹脂系接着剤をはじめとするシリコーン樹脂系接着剤が好適に用いられる。なお、接着剤３０としては、既存の様々なものが適宜利用可能であり、特に限定されないが、マイクロカプセル４の材質に応じて、例えば反応しないように、適宜決められる。
【００４４】
図２Ｂに示すように、マイクロカプセル４を床暖房マット１の裏面１Ｂに保持させるには、別途の糊や接着剤、粘着テープ等（不図示）を用いて行う。糊または接着剤を用いる場合には、作業者は、施工現場においてマイクロカプセル４を糊または接着剤に混入させて、これを床暖房マット１の裏面１Ｂに塗布する。または、作業者は、予めマイクロカプセル４を糊または接着剤に混入させたものを施工現場に持ち込み、施工現場においてマイクロカプセル４が混入された糊または接着剤を床暖房マット１の裏面１Ｂに塗布してもよい。
【００４５】
粘着テープを用いる場合には、作業者は、施工現場において床暖房マット１の裏面１Ｂに粘着テープを貼付し、床暖房マット１の裏面１Ｂに貼付された粘着テープにマイクロカプセル４を付着させる。
【００４６】
なお、このマイクロカプセル保持工程は、施工現場において行うのであるが、このとき、床暖房マット１を、次の（２）床暖房マット配置工程で配置する床下地２の所定位置２０（図３参照）に配置して行ってもよい。また、マイクロカプセル保持工程において、施工現場の所定位置２０以外の箇所に床暖房マット１を配置してもよい。
（２）床暖房マット配置工程
次に、作業者は、図３に示すように、床暖房マット１を床下地２の所定位置２０に配置する床暖房マット配置工程を行う。第１実施形態においては、所定位置２０は床下地２の一部であり、床下地２の残りの部分２１には、暖房機能がない点でのみ床暖房マット１と異なるダミーマット（不図示）が配置される。床暖房マット１が配置される所定位置２０が床下地２の全面にわたっても勿論よいものである。
【００４７】
なお、床暖房マット配置工程では、床暖房マット１を所定位置２０に正確に配置しても勿論よいが、次の（３）マイクロカプセル破壊工程において床暖房マット１が所定位置２０からずれる可能性があること、その次の（４）床暖房マット位置合わせ工程において床暖房マット１を所定位置２０に正確に配置する機会があることから、床暖房マット１を所定位置２０に正確に配置しなくてもよい。
（３）マイクロカプセル破壊工程
次に、図４に示すように、作業者は、マイクロカプセル４を破壊するマイクロカプセル破壊工程を行う。
【００４８】
マイクロカプセル破壊工程は、作業者が、床暖房マット１の上面１Ａ側から床暖房マット１を介してマイクロカプセル４に衝撃力を加えることにより、マイクロカプセル４の破壊を行う。
【００４９】
マイクロカプセル４に衝撃力を加えるには、第１実施形態においては、ハンマー５が用いられる。特に、床暖房マット１にもハンマー５からの衝撃力が加えられるため、床暖房マット１が損傷しにくいように、ハンマー５としてゴムハンマーが好適に用いられる。なお、ハンマー５としてはプラスチックハンマーや金属製のハンマーが用いられてもよいし、マイクロカプセル４に衝撃力を加えることができるものであれば、ハンマーでなくてもよい。
【００５０】
マイクロカプセル４に破壊荷重以上の荷重（衝撃力）が加えられると、マイクロカプセル４が破壊される。マイクロカプセル４が破壊されると、内部に収容されていた液状の接着剤３０が、マイクロカプセル４から流出して、床暖房マット１と床下地２とに付着する。
（４）床暖房マット位置合わせ工程
次に、作業者は、必要に応じて床暖房マット１を所定位置２０に合わせる床暖房マット位置合わせ工程を行う。すなわち、床暖房マット１と床下地２とに付着している液状の接着剤３０が固化するまでは、床暖房マット１は移動し得る。このため、前の（３）マイクロカプセル破壊工程が終了した時点で、床暖房マット１が所定位置２０からずれていれば、作業者は、床暖房マット１をずらして所定位置２０に合わせる。
（５）接着剤固化工程
次に、床暖房マット１と床下地２とに付着した液状の接着剤３０を固化させる接着剤固化工程が行われる。接着剤固化工程は、作業者が特に作業を行う必要はなく、液状の接着剤３０が自然乾燥して固化するのを待てばよい。勿論、作業者がドライヤー等を用いて積極的に液状の接着剤３０の乾燥を促進させてもよいし、接着剤３０の種類に応じて、加熱したり紫外線を照射したりして接着剤３０の固化を促進させてもよい。
【００５１】
床暖房マット１と床下地２とに付着した液状の接着剤３０が固化することにより、床暖房マット１が床下地２に接着固定されて、床暖房マット１の施工が完了する。
【００５２】
第１実施形態の施工方法にあっては、床暖房マット１を床下地２の所定位置２０に配置した後、床暖房マット１と床下地２との間に介在するマイクロカプセル４に、床暖房マット１の上面側から衝撃力を加えてマイクロカプセル４を破壊すればすむ。このように、仮固定の際に釘を使用しないため、釘を使用することにより、釘が床暖房マットに貫通して床暖房マットが損傷するといったことがない。また、仮固定の際に両面テープを使用しないため、両面テープを使用することによって床暖房マットを所定位置に合わせにくいといったこともない。
【００５３】
次に、第２実施形態について、図５に基いて説明する。第２実施形態は、第１実施形態の変形例であり、（１）マイクロカプセル保持工程のみが第１実施形態と異なり、（２）床暖房マット配置工程〜（５）接着剤固化工程は第１実施形態と同じであるため、同じ部分については説明を省略する。
【００５４】
第１実施形態では、（１）マイクロカプセル保持工程において、マイクロカプセル４を、床暖房マット１の裏面１Ｂに保持させていた。これに対して、第２実施形態では、図５に示すように、床下地２の所定位置２０の上にマイクロカプセル４を載置するものである。
【００５５】
マイクロカプセル４を所定位置２０の上に載置することには、別途の糊や接着剤、粘着テープ等を用いずに、単にマイクロカプセル４を載置させることは勿論、別途の糊や接着剤、粘着テープ等を用いて、マイクロカプセル４を所定位置２０の上に保持させることも含まれる。糊または接着剤、粘着テープを用いる場合、第１実施形態で説明したのと同じ要領で行うことができる。
【００５６】
このように、マイクロカプセル４を、床暖房マット１の裏面１Ｂに保持させるのではなく床下地２の所定位置２０の上に載置することによっても、第１実施形態と同様の効果が得られる。
【００５７】
次に、第３実施形態について、図６に基いて説明する。第３実施形態は、大部分において第１実施形態と同じであるため、同じ部分については同符号を付して説明を省略する。
【００５８】
第１実施形態における施工方法は、（１）マイクロカプセル保持工程を有するが、第３実施形態における施工方法は（１）マイクロカプセル保持工程を有しない点で異なる。なお（２）床暖房マット配置工程〜（５）接着剤固化工程については、第１実施形態と同様に行うため、説明を省略する。
【００５９】
第３実施形態においては、図６Ａに示すように、予めマイクロカプセル４を裏面１Ｂに保持させた床暖房マット１を施工現場に持ち込む。
【００６０】
第３実施形態においては、第１実施形態と同様の効果が得られるのに加えて、作業者は、施工現場でマイクロカプセル保持工程を行う必要がなく、作業が簡易となる。
【００６１】
また、第３実施形態においては、マイクロカプセル４の破壊荷重が、５ｋＮ以上であることが好ましい。すなわち、マイクロカプセル４の破壊荷重が５ｋＮ未満であると、作業者が、施工現場に裏面１Ｂにマイクロカプセル４を保持した床暖房マット１を持ち込むまでの間に、マイクロカプセル４が意に反して破壊されやすいためである。なお、マイクロカプセル４について適宜設計等が可能である点は第１実施形態と同じである。
【００６２】
また、第３実施形態の変形例について図６Ｂに基いて説明する。この変形例においては、床暖房マット１は、裏面１Ｂにマイクロカプセル４を覆う保護材６が貼付されたものである。保護材６としては、セロファン等のフィルムやシートが好適に用いられる。なお、保護材６の大きさ、形状、厚み、材質等は適宜設計、選択可能であり、既存の様々なものが適宜利用可能で、特に限定されない。
【００６３】
保護材６は、（２）床暖房マット配置工程を行う前に、作業者が剥がす。
【００６４】
このような保護材６が設けられることにより、作業者が、施工現場に裏面１Ｂにマイクロカプセル４を保持した床暖房マット１を持ち込んで、保護材６を剥がすまでの間に、マイクロカプセル４が床暖房マット１の裏面１Ｂから脱落するのが抑制される。
【符号の説明】
【００６５】
１    床暖房マット
１Ａ  上面
１Ｂ  裏面
１１  基材
１２  高温源
１３  均熱層
２    床下地
２０  所定位置
２１  所定位置以外の部分
３    接着層
３０  液状の接着剤
４    マイクロカプセル
５    ハンマー
６    保護材
【図１】
2018159493.tif 000003
【図２】
2018159493.tif 000004
【図３】
2018159493.tif 000005
【図４】
2018159493.tif 000006
【図５】
2018159493.tif 000007
【図６】
2018159493.tif 000008